(57)【要約】【課題】複数の特殊モードを使い分ける際の操作性を向上させた照明装置、および、複数の特殊モードを備える照明装置において操作性を向上させるための動作モード切換方法を提供する。【解決手段】複数の特殊モードで動作する制御部とスイッチと光源とを備え、制御部は、通常モードで動作している場合、スイッチの押下を含む複数回の操作からなる特殊モード起動操作を受け付けると、制御部の動作モードを前記特殊モードのいずれかに遷移させ、特殊モードのいずれかで動作している場合、特殊モード起動操作の少なくとも一部の操作からなる特殊モード切換操作を受け付ける毎に、動作モードを複数の特殊モード間で巡回的に遷移させる。【選択図】図５
2014082006.tif 000002
【特許請求の範囲】
【請求項１】
光源と、前記光源を点灯制御する制御部とを備え、前記制御部が通常モードでの動作に加えて前記通常モードとは異なる動作モードである複数の特殊モードで動作可能な照明装置であって、
前記制御部は、
前記通常モードで動作している場合、複数回の操作からなる特殊モード起動操作を受け付けると、前記制御部の動作モードを前記特殊モードのいずれかに遷移させ、
前記特殊モードのいずれかで動作している場合、前記特殊モード起動操作の少なくとも一部の操作からなる特殊モード切換操作を受け付ける毎に、前記制御部の動作モードを前記複数の特殊モード間で巡回的に遷移させる
ことを特徴とする照明装置。
【請求項２】
前記特殊モードは、機能実演用の動作モードである
ことを特徴とする請求項１に記載の照明装置。
【請求項３】
前記制御部の動作モードを遷移させるためのスイッチを備え、
前記特殊モード起動操作は、前記スイッチの長押操作から始まる操作であり、
前記特殊モード切換操作は、前記スイッチの長押操作である
ことを特徴とする請求項１または２に記載の照明装置。
【請求項４】
更に、前記通常モードおよび複数の特殊モードを含む動作モードのうち、現在動作中の動作モードを示す状態情報を保持する状態保持部を備え、
前記制御部は、
前記通常モードで動作している場合、前記特殊モード起動操作を受け付けると、前記状態保持部の保持する状態情報を前記特殊モードのいずれかを示すものに書き換え、
前記特殊モードのいずれかで動作している場合、前記特殊モード切換操作を受け付ける毎に、前記状態保持部の保持する状態情報を前記特殊モードそれぞれに巡回的に書き換える
こと特徴とする請求項１乃至３のいずれかに記載の照明装置。
【請求項５】
前記状態保持部は不揮発性メモリである
ことを特徴とする請求項４に記載の照明装置。
【請求項６】
前記光源は、前記点灯制御により複数の点灯状態を有し、
前記複数の特殊モードは、前記光源の複数の点灯状態の少なくとも一部を、所定の順番で周期的に点灯させる動作モードである第１モードを含み、
更に、前記光源の複数の点灯状態の少なくとも一部を、所定の順番で周期的に点灯させるための点灯情報を保持する点灯情報保持部を備え、
前記制御部は、
前記通常モードで動作している場合、前記特殊モード起動操作を受け付けると、前記制御部の動作モードを前記第１モードに遷移させ、
前記第１モードで動作している場合、前記点灯情報に基づいて前記光源の点灯状態を制御する
ことを特徴とする請求項１乃至５のいずれかに記載の照明装置。
【請求項７】
更に、センサユニットを備え、
前記通常モードは、前記センサユニットの出力に基づいて前記光源の点灯状態を制御する第２モードを含み、
前記特殊モードは、前記第２モードを機能実演用にした第３モードを含み、
前記制御部は、
前記第２モードで動作している場合、第１周期で、前記センサユニットの出力に基づいて前記光源の点灯状態を制御し、
前記第３モードで動作している場合、前記第１周期よりも短い第２周期で、前記センサユニットの出力に基づいて前記光源の点灯状態を制御する
ことを特徴とする請求項１乃至６のいずれかに記載の照明装置。
【請求項８】
前記スイッチは、装置本体に取り付けられたスイッチである
ことを特徴とする請求項３に記載の照明装置。
【請求項９】
光源と、前記光源を点灯制御する制御部とを備え、前記制御部が通常モードでの動作に加えて前記通常モードとは異なる動作モードである複数の特殊モードで動作可能な照明装置で用いられる動作モード切換方法であって、
前記制御部が前記通常モードで動作している場合に、複数回の操作からなる特殊モード起動操作を受け付けるステップと、
前記特殊モード起動操作を受け付けた後、前記制御部の動作モードを前記特殊モードのいずれかに遷移させるステップと、
前記制御部が前記特殊モードのいずれかで動作している場合に、前記特殊モード起動操作の少なくとも一部の操作からなる特殊モード切換操作を受け付けるステップと、
前記特殊モード切換操作を受け付ける毎に、前記制御部の動作モードを前記複数の特殊モード間で巡回的に遷移させるステップとを含む
こと特徴とする照明装置の動作モード切換方法。
【発明の詳細な説明】
【技術分野】
【０００１】
本発明は、複数の動作モードを備える照明装置およびその動作モード切換方法に関する。
【背景技術】
【０００２】
従来、オフィス等の天井に設置される照明装置には、日常使用での動作モード（以下、通常モードと称する。）とは別に、量販店等において販売促進のために用いられる機能実演用の動作モード（以下、デモモードと称する。）を搭載したものが提案されている（例えば、特許文献１参照）。
照明装置は、日常使用の際、誤ってデモモードで動作することを防止するため、比較的複雑な特定のコマンド入力を受け付けた場合のみデモモードで動作する。
【先行技術文献】
【特許文献】
【０００３】
【特許文献１】特開２００９―０７６２１４号
【発明の概要】
【発明が解決しようとする課題】
【０００４】
しかしながら、従来の照明装置は、デモモードのように比較的複雑なコマンド入力を受け付けた場合のみ動作する特殊モードを複数搭載する場合、特殊モードの数に応じた複数のコマンド入力を使い分ける必要があり、使い勝手が悪い。
本発明は、上記事由を鑑みてなされたものであり、複数の特殊モードを使い分ける際の操作性を向上させた照明装置、および、複数の特殊モードを備える照明装置において操作性を向上させるための動作モード切換方法を提供することを目的とする。
【課題を解決するための手段】
【０００５】
上記課題を解決するために、本発明に係る照明装置は、光源と、前記光源を点灯制御する制御部とを備え、前記制御部が通常モードでの動作に加えて前記通常モードとは異なる動作モードである複数の特殊モードで動作可能な照明装置であって、前記制御部は、前記通常モードで動作している場合、複数回の操作からなる特殊モード起動操作を受け付けると、前記制御部の動作モードを前記特殊モードのいずれかに遷移させ、前記特殊モードのいずれかで動作している場合、前記特殊モード起動操作の少なくとも一部の操作からなる特殊モード切換操作を受け付ける毎に、前記制御部の動作モードを前記複数の特殊モード間で巡回的に遷移させることを特徴とする。
【０００６】
また、本発明に係る照明装置の動作モード切換方法は、光源と、前記光源を点灯制御する制御部とを備え、前記制御部が通常モードでの動作に加えて前記通常モードとは異なる動作モードである複数の特殊モードで動作可能な照明装置で用いられる動作モード切換方法であって、前記制御部が前記通常モードで動作している場合に、複数回の操作からなる特殊モード起動操作を受け付けるステップと、前記特殊モード起動操作を受け付けた後、前記制御部の動作モードを前記特殊モードのいずれかに遷移させるステップと、前記制御部が前記特殊モードのいずれかで動作している場合に、前記特殊モード起動操作の少なくとも一部の操作からなる特殊モード切換操作を受け付けるステップと、前記特殊モード切換操作を受け付ける毎に、前記制御部の動作モードを前記複数の特殊モード間で巡回的に遷移させるステップとを含むこと特徴とする。
【発明の効果】
【０００７】
本発明の照明装置または動作モード切換方法を用いる照明装置によれば、特殊モード起動操作と特殊モード切換操作の２つのコマンド入力によって、特殊モードの数によらず、複数の特殊モードを使い分けることが可能である。さらに、特殊モード切換操作は、特殊モード起動操作と同じコマンド入力または特殊モード起動操作の一部を省略したコマンド入力であり、２つのコマンド入力を覚えるために必要な労力を軽減することが可能である。
【０００８】
さらに、特殊モード起動操作は、複数回の操作を伴う比較的複雑なコマンド入力が必要であるが、特殊モード切換操作は、特殊モード起動操作の一部を省略した簡易な操作で実現できる。これにより、日常使用の際、誤って特殊モードで動作することを防止すると同時に、簡易な操作で複数の特殊モードを使い分けることが可能である。
また、特殊モード起動操作は、複数回の操作からなるコマンド入力である。これにより、操作１回からなるコマンド入力と特殊モード起動操作を区別することが可能である。その結果、別の機能のために搭載されたスイッチ等の操作により、新たなスイッチを搭載することなく、特殊モード起動操作を受け付けることが可能である。
【図面の簡単な説明】
【０００９】
【図１】実施の形態１に係る照明装置の回路図。
【図２】実施の形態１に係るマイクロコンピュータの機能構成を示すブロック図。
【図３】実施の形態１に係るメモリに格納される主要なデータを説明する図。
【図４】実施の形態１に係る照明装置の一例を示す斜視図。
【図５】実施の形態１に係る照明装置の動作モード切換に係る状態遷移図。
【図６】実施の形態１に係る照明装置の状態遷移における、制御部の動作のフローチャート。
【図７】実施の形態１に係る照明装置における、デモモード（自動）の動作のフローチャート。
【発明を実施するための形態】
【００１０】
＜実施の形態１＞
本実施形態に係る照明装置は、通常モードとして、マニュアルモードと自動調光モードとの２つの動作モードを搭載し、デモモードとして、デモモード（巡回）とデモモード（自動）との２つの動作モードを搭載している。
照明装置は、マニュアルモード時においては、照明装置１を遠隔操作するためのリモートコントローラ（図示せず。以下、「リモコン」と称する。）から発信されたリモコン信号に応じて、調光率を増減させる。
【００１１】
照明装置は、デモモード（巡回）時においては、発光部において点灯可能な複数の点灯状態の少なくとも一部を、所定の順番で周期的に点灯させるように調光率を自動的に増減させる。
照明装置は、自動調光モードおよびデモモード（自動）においては、明るさセンサから出力される電圧信号に応じて、一定の更新周期で、発光部の調光率を自動的に増減させる。なお、自動調光モードとデモモード（自動）とでは、更新周期が異なり、デモモード（自動）の更新周期は、自動調光モードの更新周期よりも短いものとする。
【００１２】
本実施の形態の照明装置は、デモ起動コマンドとデモ切換コマンドとを定義している。そして、照明装置は、デモ起動コマンドを受け付けることにより通常モードからデモモードへ遷移を、デモ切換コマンドを受け付けることによりデモモード間の遷移を、それぞれ実現するものである。
以下、本実施形態に係る照明装置の構成について図面を用いて説明する。
【００１３】
＜１．構成＞
本実施の形態に係る照明装置の回路図を図１に示す。
照明装置１は、点灯装置１０と、発光部１１と、明るさセンサ２１と、受信部３１と、ブザー４１とを備える。
＜１−１．発光部１１＞
発光部１１は、互いに直列に接続された複数のＬＥＤ（Light Emitting Diode）１１ａからなる。発光部１１は、例えば、３０個のＬＥＤ１１ａから構成される。
【００１４】
＜１−２．明るさセンサ２１＞
明るさセンサ２１は、明るさセンサ２１の周囲の明るさを検知し、検知した明るさに応じた照度値を示すシリアルデータを点灯装置１０に出力する。明るさセンサ２１は、例えば、入射した光に応じた起電力を発生させるフォトダイオードと、発生した起電力を増幅させる増幅回路と、増幅した起電力をデジタルデータの電圧値に変換するＡ／Ｄ変換部と、電圧値に所定の係数を乗算することにより照度値を算出する計算部とから構成される。
【００１５】
＜１−３．受信部３１＞
受信部３１は、照明装置１を遠隔操作するためのリモコンから発信されたリモコン信号を受信すると、リモコン信号を指示信号に変換して点灯装置１０に出力する。また、受信部３１は、操作するリモコンを切り換えるリモコン切換機能を有する。受信部３１は、点灯装置１０から、リモコン切換信号が入力された場合にリモコン切換処理を行う。リモコン切換処理は、既知の技術であるため、説明を省略する。
【００１６】
受信部３１は、リモコンから発信されるリモコン信号の媒体が赤外線であれば、当該赤外線を受光できる受光素子を備えた構成となる。また、受信部３１は、リモコンから送信されるリモコン信号の媒体が、例えば、微弱無線や特定小電力無線等であれば、無線受信機から構成される。
＜１−４．ブザー４１＞
ブザー４１は、点灯装置１０から発信された鳴動指示信号を受信する毎に鳴動する。鳴動指示信号は、例えば、点灯装置１０が受信部３１から指示信号を受信したときなどに、点灯装置１０から発信される。これにより、ユーザは、リモコンによる操作が照明装置１に伝達していることを認知することができる。
【００１７】
ブザー４１は、鳴動指示信号を受信しても鳴動しないように設定することも可能である。ブザー４１は、点灯装置１０から、鳴動切換信号を受信する毎に、鳴動指示信号に応じて鳴動する状態と鳴動しない状態とに交互に設定される。
＜１−５．点灯装置１０＞
図１に示すように、点灯装置１０は、電源回路１０１、ＰＷＭ（Pulse Width Modulation）信号制御回路１０２、マイクロコンピュータ（以下、「マイコン」とも称する。）１１０、抵抗Ｒ１、Ｒ２、Ｒ３、および、スイッチＳＷ１、ＳＷ２、ＳＷ３を備える。
【００１８】
＜１−５−１．電源回路１０１＞
電源回路１０１は、外部電源ＡＣから供給される交流電圧を直流電圧に変換して出力する。また、電源回路１０１は、直流電圧を降圧または昇圧して出力する機能も有する。電源回路１０１は、例えば、１００Ｖの交流電圧が入力されると、５Ｖの直流電圧をマイコン１１０に出力し、２００Ｖの直流電圧をＰＷＭ信号制御回路１０２に出力する。
【００１９】
＜１−５−２．ＰＷＭ信号制御回路１０２＞
ＰＷＭ信号制御回路１０２は、電源回路１０１から入力された電圧を、マイコン１１０から入力されるＰＷＭ信号に応じた制御を行って、発光部１１に出力する。
ＰＷＭ信号制御回路１０２は、例えば、スイッチング素子とスイッチング素子の駆動回路とを備える。駆動回路は、マイコン１１０から駆動回路にＰＷＭ信号が入力されると、当該ＰＷＭ信号に基づいてスイッチング素子をオンオフさせる。発光部１１は、スイッチング素子を介して電源回路１０１と接続され、ＰＷＭ信号のデューティ比に応じた明るさで点灯する。
＜１−５−３．スイッチＳＷ１、ＳＷ２、ＳＷ３、抵抗Ｒ１、Ｒ２、Ｒ３＞
スイッチＳＷ１，ＳＷ２，ＳＷ３は、照明装置１の動作の切換を行うためのものである。スイッチＳＷ１，ＳＷ２，ＳＷ３は、いずれも押釦スイッチから構成され、押下されている間だけオンし、押下されていない期間はオフで維持される。
【００２０】
スイッチＳＷ１は、主として、受信部３１のリモコン切換処理のために用いられる。
スイッチＳＷ２は、主として、ブザーを鳴動させるための設定を切り換えるために用いられる。
スイッチＳＷ３は、主として、照明装置１の電源オン状態と電源オフ状態とを切り換えるために用いられる。ここで、照明装置１の電源オン状態とは、発光部が点灯しており各構成部の動作に必要な電圧が電源回路１０１から供給されている状態である。また、照明装置１の電源オフ状態とは、発光部が消灯しておりスイッチＳＷ３の操作により電源オン状態となることに備えて、電源回路１０１から必要最低限の電圧が供給されている状態である。
【００２１】
抵抗Ｒ１は、一端が電源回路１０１の高電位側の出力端に接続され、他端がスイッチＳＷ１を介して電源回路１０１の低電位側の出力端に接続されている。抵抗Ｒ２は、一端が電源回路１０１の高電位側の出力端に接続され、他端がスイッチＳＷ２を介して電源回路１０１の低電位側の出力端に接続されている。抵抗Ｒ３は、一端が電源回路の高電位側の出力端に接続され、他端がスイッチＳＷ３を介して電源回路１０１の低電位側の出力端に接続されている。
【００２２】
抵抗Ｒ１，Ｒ２，Ｒ３はいわゆるプルアップ用抵抗として機能する。つまり、スイッチＳＷ１，ＳＷ２，ＳＷ３がオフの場合、抵抗Ｒ１，Ｒ２，Ｒ３それぞれの他端の電圧レベルは、電源回路１０１の高電位側（以下、「Ｈｉｇｈ」レベルと称する。）に略等しくなる。一方、スイッチＳＷ１，ＳＷ２，ＳＷ３がオンの場合、抵抗Ｒ１，Ｒ２，Ｒ３それぞれの他端の電圧レベルは、電源回路１０１の低電位側（以下、「Ｌｏｗ」レベルと称する。）に略等しくなる。
【００２３】
＜１−５−４．マイクロコンピュータ１１０＞
マイクロコンピュータ１１０は、入出力端子として、９個の端子ｔｅ１〜４，５１〜５３，６１，６２を備える。
端子ｔｅ１は、ＰＷＭ信号制御回路１０２に接続されている。端子ｔｅ１からは、ＰＷＭ信号が出力され、ＰＷＭ信号制御回路１０２の一部を構成する駆動回路に入力される。
【００２４】
端子ｔｅ２は、明るさセンサ２１と接続されている。明るさセンサ２１からは、周囲の明るさに応じたシリアルデータが出力され、端子ｔｅ２に入力される。
端子ｔｅ３は、受信部３１と接続されている。端子ｔｅ３からは、リモコン切換信号が出力され、受信部３１に入力される。また、受信部３１からは、リモコン信号を変換した指示信号が出力され、端子ｔｅ３に入力される。
【００２５】
端子ｔｅ４は、ブザー４１と接続されている。端子ｔｅ４からは、鳴動指示信号が出力され、ブザー４１に入力される。
端子ｔｅ５１は、抵抗Ｒ１とスイッチＳＷ１との間に接続され、抵抗Ｒ１の上記他端に生じる電圧レベルが入力される。端子ｔｅ５２は、抵抗Ｒ２とスイッチＳＷ２との間に接続され、抵抗Ｒ２の上記他端に生じる電圧レベルが入力される。端子ｔｅ５３は、抵抗Ｒ３とスイッチＳＷ３との間に接続され、抵抗Ｒ３の上記他端に生じる電圧レベルが入力される。
【００２６】
端子６１は、電源端子であり、電源回路１０１の高電位側に接続されている。端子６２は接地端子であり、電源回路１０１の低電位側に接続されている。
次に、マイコン１１０の機能構成について説明する。本実施の形態に係るマイコン１１０の機能構成を示すブロック図を図２に示す。図に示すように、マイコン１１０は、制御部１１１、ＰＷＭ信号発生部１１２、センサ処理部１１３、計時部１１４、リモコン処理部１１５、ブザー処理部１１６、スイッチ処理部１１７、およびメモリ１１８を備える。
【００２７】
＜１−５−４−１．制御部１１１＞
制御部１１１は、各構成部を接続され、照明装置１全体の制御を行うために必要な動作を行う。
＜１−５−４−２．ＰＷＭ信号発生部１１２＞
ＰＷＭ信号発生部１１２は、制御部１１１の指示により、ＰＷＭ信号制御回路１０２を駆動するために必要なＰＷＭパルスを生成し、端子ｔｅ１から出力する。
【００２８】
＜１−５−４−３．センサ処理部１１３＞
センサ処理部１１３は、制御部１１１の指示により、端子ｔｅ２から入力されるシリアルデータの照度値を制御部１１１に出力する。
＜１−５−４−４．計時部１１４＞
計時部１１４は、所定の周期のクロック信号を生成して制御部１１１に出力する。制御部１１１は、計時部１１４から出力されるクロック信号に従って、時間をミリ秒単位で正確に計測できるものとする。計時部１１４は、水晶振動子などを用いて構成される。
【００２９】
＜１−５−４−５．リモコン処理部１１５＞
リモコン処理部１１５は、受信部３１から入力される指示信号を制御部１１１に出力する。また、リモコン処理部１１５は、制御部１１１の指示により、リモコン切換信号を端子ｔｅ３から出力する。
＜１−５−４−６．ブザー処理部１１６＞
ブザー処理部１１６は、制御部１１１の指示により鳴動指示信号および鳴動切換信号を端子ｔｅ４から出力する。
【００３０】
＜１−５−４−７．スイッチ処理部１１７＞
スイッチ処理部１１７は、端子ｔｅ５１、ｔｅ５２、ｔｅ５３それぞれから入力される電圧レベルが変化した場合に、変化した端子を示す信号を制御部１１１に出力する。これにより、制御部１１１は、スイッチＳＷ１、ＳＷ２、ＳＷ３それぞれのオンとなるタイミングおよびオフとなるタイミングを知ることが可能となる。
【００３１】
＜１−５−４−８．メモリ１１８＞
図３にメモリ１１８に格納される主なデータを示す。
状態情報１１８１は、上述の４つの動作モードのうち、現在動作中の動作モードを示す情報である。制御部１１１は、状態情報１１８１に応じて、異なる動作モードで処理を行う。
【００３２】
調光率１１８２は、ＰＷＭ信号発生部１１２の生成するＰＷＭ信号のデューティ比を示す値である。制御部１１１は、調光率１１８２の示す値と一致するデューティ比のＰＷＭパルスを生成するように、ＰＷＭ信号発生部１１２に指示する。また、制御部１１１は、マニュアルモード時に、リモコン処理部１１５から出力される指示信号に応じて調光率１１８２の示す値を増減させる。
【００３３】
センサ目標値１１８３は、センサ処理部１１３の出力である照度値の基準値である。制御部１１１は、自動調光モードまたはデモモード（自動）時に、センサ処理部１１３の出力である照度値とセンサ目標値１１８３のしめす基準値とを比較し、比較結果に応じて調光率１１８２の示す値を増減させる。自動調光モードまたはデモモード（自動）時における制御部１１１の詳細な動作については後述する。
【００３４】
点灯順序情報１１８４は、デモモード（巡回）時における制御部１１１の動作を規定する情報である。デモモード（巡回）時における制御部１１１の詳細な動作については後述する。
また、メモリ１１８は、各構成部を制御するための各種プログラムを格納する。さらに、メモリ１１８は、各構成部での演算結果のデータおよび演算途中のデータなどを格納する。
【００３５】
なお、メモリ１１８は、不揮発性メモリで構成される。
＜２．外観構成＞
本実施の形態に係る照明装置１の一例の斜視図を図４に示す。
図４に示す照明装置１は、いわゆる住宅用シーリングタイプの照明装置である。
照明装置１は、装置本体２０１と、装置本体２０１を覆うカバー（図示せず）とを備える。
【００３６】
装置本体２０１は、有底円筒状部２０１ａと、有底円筒状部２０１ａの開口端全周に亘って筒軸方向から離れる方向に延出した外鍔部２０１ｂとを備える。
有底円筒状部２０１ａの底壁２０１ｃの略中央部には、平面視円形の貫通孔２０１ａａが形成されている。天井等には、例えば、装置本体２０１を取り付けるためのアダプタ（図示せず）が固定され、貫通孔２０１ａａにアダプタを嵌合固定させることにより、装置本体２０１は天井等に設置される。
【００３７】
有底円筒状部２０１ａの底壁２０１ｃの内面側には、円環状の形状を有する発光部１１が貫通孔２０１ａａを囲繞するように配置されている。
なお、図には示していないが、有底円筒状部２０１ａの底壁２０１ｃの外面側には、点灯装置１０が取り付けられている。
有底円筒状部２０１ａの底壁２０１ｃの貫通孔２０１ａａの外周部には、受信ユニット２０２と釦ユニット２０３とが配置されている。
【００３８】
受信ユニット２０２は、受信部３１と、受信部３１を覆うように配置されたドーム状のレンズカバー２０２ａとを備える。
釦ユニット２０３には、３つの押釦スイッチからなるスイッチＳＷ１，ＳＷ２，ＳＷ３それぞれの釦２０３ａ，２０３ｂ，２０３ｃが突出している。
外鍔部２０１ｂにおける有底円筒状部２０１ａとは反対側の面の一部には、窪部２０１ｂａが形成されている。また、窪部２０１ｂａの底部には、貫通孔２０１ｂｂが形成されている。そして、この窪部２０１ｂａ内には、貫通孔２０１ｂｂから明るさセンサ２１の受光部が露出した状態で配置されている。
【００３９】
＜３．動作＞
次に、本実施の形態に係る照明装置１の動作について説明する。
＜３−１．動作モードの切換に係る動作＞
照明装置１の動作モードの切換に係る状態遷移図を図５に示す。
図に示すように、照明装置１は、通常モード、つまり、マニュアルモードまたは自動調光モードで動作をしているときに、デモ起動コマンドの入力を受け付けると、デモモード（巡回）に状態遷移する。なお、通常モード時には、デモ切換コマンドを受け付けない。
【００４０】
また、照明装置１は、デモモード（巡回）で動作しているときに、デモ切換コマンドの入力を受け付けると、デモモード（自動）に状態遷移する。
さらに、照明装置１は、デモモード（自動）で動作しているときに、デモ切換コマンドの入力を受け付けると、デモモード（巡回）に状態遷移する。
なお、本実施の形態の照明装置１は、デモモード時、デモ起動コマンドは受け付けない。さらに、照明装置１は、デモモード時に通常モードに遷移するためのコマンドは存在しない。照明装置１において、１度デモモードに遷移した後、通常モードに戻るためには、照明装置１の初期化操作を行う必要がある。
【００４１】
上記状態遷移に係る制御部１１１の動作のフローチャートを図６に示す。
まず、制御部１１１は、メモリ１１８の状態情報１１８１を読込み、現在の動作モードが通常モードのいずれかであるのかについて判定する（ステップＳ１）。
ステップＳ１において、現在の動作モードが通常モードであると判定されると、制御部１１１は、スイッチ処理部１１７からの出力を監視し、デモ起動コマンドが入力されたか否かを判定する（ステップＳ２）。
【００４２】
デモ起動コマンドは、具体的には、スイッチＳＷ１のオン状態が３秒以上維持された後、スイッチＳＷ１がオフ状態に移行してから２秒以内に、スイッチＳＷ３がオン状態となることである。なお、制御部１１１は、デモ起動コマンドによっては、上述のリモコン切換処理や、電源の状態を切り換える処理を行わないものとする。
制御部１１１は、デモ起動コマンドが入力されるまで、ステップＳ２を繰り返す。
【００４３】
ステップＳ２において、デモ起動コマンドが入力されたと判定されると、制御部１１１は、メモリ１１８の状態情報１１８１を、デモモード（巡回）を示す値に書き換える（ステップＳ３）。
制御部１１１は、メモリ１１８の状態情報１１８１を書き換えた後、ステップＳ４に進む。
【００４４】
ステップＳ１において、現在の動作モードが通常モードではない、すなわち、現在の動作モードがデモモードであると判定されると、制御部１１１は、スイッチ処理部１１７からの出力を監視し、デモ切換コマンドが入力されたか否かを判定する（ステップＳ４）。
デモ切換コマンドは、具体的には、スイッチＳＷ１のオン状態が３秒以上維持されることである。なお、制御部１１１は、デモ切換コマンドによっては、上述のリモコン切換処理を行わないものとする。
【００４５】
制御部１１１は、デモ切換コマンドが入力されるまで、ステップＳ４を繰り返す。
ステップＳ４において、デモ切換コマンドが入力されたと判定されると、制御部１１１は、メモリ１１８の状態情報１１８１を、デモモード（巡回）を示す値からデモモード（自動）を示す値に、または、デモモード（自動）を示す値からデモモード（巡回）を示す値に書き換える（ステップＳ５）。
【００４６】
制御部１１１は、メモリ１１８の状態情報１１８１を書き換えた後、ステップＳ４に戻る。
以上により、制御部１１１は、動作モード間の状態遷移を実現する。
＜３−２．デモモード（巡回）時の動作＞
ここでは、デモモード（巡回）時における制御部１１１の動作について説明する。
【００４７】
制御部１１１は、メモリ１１８に格納される点灯順序情報１１８４に従って、発光部１１の点灯制御を行う。点灯順序情報１１８４は、発光部１１の複数の点灯状態の、デモモード（巡回）時における点灯順序を規定する情報である。
点灯順序情報１１８４は、例えば、複数の点灯状態における調光率を循環リストで表現したものである。制御部１１１は、リストの順番でメモリ１１８の調光率１１８２の示す値を順番に増減させる。これにより、デモモード（巡回）時において、メモリ１１８の調光率１１８２の示す値は、周期的に増減することになる。そして、ＰＷＭ信号発生部１１２は、周期的に増減する調光率１１８２の示す値に従って、生成するＰＷＭパルスのデューティ比を変化させる。その結果、発光部１１の点灯状態は、変化するディーティ比に従って、周期的に変化することになる。
【００４８】
なお、制御部１１１は、調光率１１８２の示す値を次の値に変化させる際、所定時間毎（例えば、５秒毎）に瞬時に変化させてもよいし、所定時間（例えば、２秒）かけて緩やかに変化させてもよい。また、組み合わせて１つの値を所定時間維持した後、所定時間かけて緩やかに次の値へ変化させてもよい。
＜３−３．自動調光モード及びデモモード（自動）時の動作＞
次に、自動調光モード及びデモモード（自動）時における制御部１１１の動作を説明する。
【００４９】
図７は、自動調光モード及びデモモード（自動）時における制御部１１１の動作のフローチャートである。
まず、制御部１１１は、補正回数を示す変数ＶをＶ＝０に初期化する（ステップＳ１１）。
次に、制御部１１１は、センサ処理部１１３から明るさセンサ２１の出力する照度値を取得する（ステップＳ１２）。ステップＳ１２において、制御部１１１は、計１０回照度値を取得する。制御部１１１は、自動調光モードにおいては、例えば、１秒毎に照度値を取得し、デモモード（自動）においては、例えば、１００ミリ秒毎に照度値を取得するものとする。
【００５０】
ステップＳ１２の後、制御部１１１は、ステップＳ１２で取得した照度値の平均値を計算する（ステップＳ１３）。ステップＳ１３において、制御部１１１は、ステップＳ１２で取得した１０個の照度値のうち、最大値と最小値を除く計８個の照度値を用いて平均値を計算するものとする。
ステップＳ１２の後、制御部１１１は、メモリ１１８のセンサ目標値１１８３の示す基準値と、ステップＳ１３で計算した照度値の平均値とが略一致するかどうかを判定する（ステップＳ１４）。
【００５１】
なお、ここで２つの値が略一致するとは、２つの値の差分の絶対値が所定値以内であることをいう。別の実施形態では、値の取り得る範囲を複数の区分に分け、２つの値が同一の区分に入ることを略一致するとしてもよい。
ステップＳ１４において、メモリ１１８のセンサ目標値１１８３の示す基準値と、ステップＳ１３で計算した照度値の平均値とが略一致する場合（ステップＳ１４：Ｙｅｓ）、ステップＳ１１に戻る。
【００５２】
ステップＳ１４において、メモリ１１８のセンサ目標値１１８３の示す基準値と、ステップＳ１３で計算した照度値の平均値とが略一致しない場合（ステップＳ１４：Ｎｏ）、制御部１１１は、メモリ１１８の調光率１１８２の示す値を所定値だけ変化させる（ステップＳ１５）。
ステップＳ１５において、メモリ１１８のセンサ目標値１１８３の示す基準値が、ステップＳ１３で計算した照度値の平均値よりも大きければ、制御部１１１は、メモリ１１８の調光率１１８２の示す値を増加させる。
【００５３】
ステップＳ１５において、メモリ１１８のセンサ目標値１１８３の示す基準値が、ステップＳ１３で計算した照度値の平均値よりも小さければ、制御部１１１は、メモリ１１８の調光率１１８２の示す値を減少させる。
ここで、制御部１１１は、自動調光モードにおいては、例えば、１秒かけて調光率１１８２の示す値を変化させる。また、制御部１１１は、デモモード（自動）においては、例えば、１００ミリ秒かけて調光率１１８２の示す値を変化させる。また、制御部１１１は、調光率１１８２の示す値が、所定の上限や下限を超える場合は、飽和処理を行う。
【００５４】
ステップＳ１５の後、制御部１１１は、補正回数を示す変数Ｖをインクリメントする（ステップＳ１６）。
ステップＳ１６の後、制御部１１１は、センサ処理部１１３から明るさセンサ２１の出力する照度値を取得する（ステップＳ１７）。ステップＳ１７において、制御部１１１は、ステップＳ１２と異なり、照度値を１回だけ取得する。
【００５５】
ステップＳ１７の後、制御部１１１は、メモリ１１８のセンサ目標値１１８３の示す基準値と、ステップＳ１７で取得した照度値とが略一致するかどうかを判定する（ステップＳ１８）。
ステップＳ１８において、メモリ１１８のセンサ目標値１１８３の示す基準値と、ステップＳ１７で取得した照度値とが略一致する場合（ステップＳ１８：Ｙｅｓ）、ステップＳ１１に戻る。
【００５６】
ステップＳ１８において、メモリ１１８のセンサ目標値１１８３の示す基準値と、ステップＳ１７で取得した照度値とが略一致しない場合（ステップＳ１８：Ｎｏ）、制御部１１１は、補正回数を示す変数Ｖが、所定値Ａ（例えば、Ａ＝１０）以上であるかどうかを判定する（ステップＳ１９）。
補正回数を示す変数Ｖが、所定値Ａ以上である場合（ステップＳ１９：Ｙｅｓ）、ステップＳ１１に戻る。
【００５７】
補正回数を示す変数Ｖが、所定値Ａより小さい場合（ステップＳ１９：Ｎｏ）、ステップＳ１５に戻る。その際、「ステップＳ１３で計算した照度値の平均値」を、「ステップＳ１７で取得した照度値」と読み換えて処理を行う。
制御部１１１、自動調光モード及びデモモード（自動）時において、上記に示すように動作する。
【００５８】
＜４．まとめ＞
本実施の形態に係る照明装置１は、デモ起動コマンドを、スイッチＳＷ１のオン状態が３秒以上維持された後、スイッチＳＷ１がオフ状態に移行してから２秒以内に、スイッチＳＷ３がオン状態となることと定義している。スイッチの通常操作において、オン状態が３秒以上継続することはないと仮定すると、デモ起動コマンドとスイッチＳＷ１、ＳＷ３の通常操作と区別可能である。これにより、リモコン切換処理のために搭載されたスイッチＳＷ１や、電源の状態を切り換えるために搭載されたスイッチＳＷ３の操作により、リモコン切換処理や電源の状態を切り換える処理を実行することなく、通常モードからデモモードへの遷移を実現することが可能である。
【００５９】
同様に、照明装置１は、デモ切換コマンドを、スイッチＳＷ１のオン状態が３秒以上維持されることと定義している。これにより、リモコン切換処理のために搭載されたスイッチＳＷ１の操作により、リモコン切換処理を実行することなく、デモモード間の遷移を実現することが可能である。
また、デモ起動操作は、スイッチＳＷ１の長押操作を含む複数回の操作からなる比較的複雑なコマンド入力である。これにより、日常使用の際、誤ってデモモードで動作することを防止することが可能である。
【００６０】
さらに、デモ起動操作に用いられるスイッチＳＷ１、ＳＷ３は、装置本体を覆うカバー内の、ユーザが容易に触れられない位置に取り付けられている。これによっても、日常使用の際、誤ってデモモードで動作することを防止することが可能である。
さらに、デモ切換コマンドは、デモ起動コマンドの後半を省略したコマンドである。これにより、デモ起動コマンドを簡略化した簡易な操作で、デモモード間の遷移を実現することが可能である。また、デモ切換コマンドを覚えるために必要な労力を軽減することが可能である。
【００６１】
また、本実施の形態において、通常モードからデモモードへの遷移に関して、遷移先がデモモード（巡回）に固定されている。これにより、照明装置１のユーザは、現在の動作モードについて、照明装置１の動作を見て判定する以外に、通常モードからデモモードに遷移してから後、デモ切換コマンドを入力した回数を記憶することにより、照明装置１の動作モードを把握することが可能である。
【００６２】
また、本実施の形態において、状態情報１１８１を格納するメモリ１１８は、不揮発性メモリで構成されている。これにより、夜間や停電時など、外部電源との接続が遮断された場合においても、動作モードを記憶し続ける。その結果、再び、外部電源と接続された場合に、外部電源との接続が遮断されたときの動作モードで復帰することが可能である。
＜変形例＞
上記実施の形態に従って、本発明に係る照明装置について説明してきたが、本発明はこれに限られるものではない。以下、本発明の思想として含まれる各種変形例について説明する。
【００６３】
（１）上記実施の形態に係る照明装置において、デモ起動コマンドは、スイッチの長押操作を含む複数の操作からなる操作としているが、本発明においてデモ起動コマンドは、これに限られるものではない。例えば、デモ起動コマンドは、複数のスイッチの同時押操作を含む複数の操作からなる操作としてもよい。また、デモ起動コマンドは、複数のスイッチを所定時間以内に所定の順番で押下される操作や、１つのスイッチを所定時間以内に所定回数押下される操作であってもよい。また、照明装置の備えるスイッチ以外の入力手段およびそれと同等の機能を得られる操作、例えば、リモコン操作や、電源遮断、復電の時間によって実現されても良い。
【００６４】
（２）上記実施の形態に係る照明装置は、２つのデモモードで動作するとしているが、３つ以上のデモモードで動作する照明装置に対して本発明の手法を適用することも、もちろん可能である。その際は、デモモード動作中にデモ切換コマンドが受け付けられる毎に、制御部の動作モードを複数のデモモード間で巡回的に遷移させるとよい。この構成によると、デモ起動操作とデモ切換操作の２つのコマンド入力によって、デモモードの数によらず、複数のデモモードを使い分けることが可能である。
【００６５】
（３）上記実施の形態に係る照明装置は、デモモード時にユーザからリモコン信号を受け付けた場合、擬似的に通常モードを再現する擬似モードに遷移するとしてもよい。ここでいう疑似モードは、基本的に通常モード（マニュアルモード、及び、自動調光モード）と同一の機能である。擬似モードと通常モードとの異なる点は、最後にリモコン信号を受け付けてから、所定時間（例えば、６０秒）経過した場合、自動的に遷移元のデモモードに戻る点である。
【００６６】
また、照明装置が疑似モードで動作している際は、デモ切換コマンドを受け付けてもよい。デモ切換コマンドを受け付ける場合は、コマンドを受け付けると遷移元のデモモードに戻ってもよいし、遷移元のデモモードの次のデモモードに遷移してもよい。
（４）上記実施の形態に係る照明装置は、複数の発光部を備えてもよい。例えば、「昼白色」、「昼光色」、「電球色」といった色温度の異なる複数の発光部を備える場合、照明装置は、発光部毎に調光率を制御することで調色機能を実現できる。また、例えば、配光パターンの異なる複数の発光部を備える場合、照明装置は、発光部毎に調光率を制御することで、照明装置の配光パターンを変化させることが可能である。
【００６７】
これらの構成によると、照明装置は、調色や配光も考慮した点灯状態を有することになる。その結果、デモモード（巡回）の点灯状態の周期的な変化は、バリエーションに富むものになる。
（５）上記実施の形態に係る照明装置において、点灯順序情報は、循環リスト構造であるとしたが、これに限られるものではない。点灯順序情報は、各点灯状態における調光率を所定の順序で周期的に取得できるものであればよい。点灯順序情報は、例えば、複数の点灯状態における発光部の調光率を示すデータを並べたテーブルから、所定の順番で周期的にデータを読み出すことにより同様の機能実現してもよい。
【００６８】
（６）上記実施の形態に係る自動調光モード及びデモモード（自動）時の動作において、調光率が下限の状態で、センサから取得した照度値が、センサ目標値と所定のマージン値との加算値よりも大きいことを所定回数（例えば、５回）連続して検出した場合、発光部を消灯状態に移行させてもよい。ここでいう、発光部の消灯状態とは、ＰＷＭ信号制御回路を介した電源回路から発光部への電圧供給を遮断することである。
【００６９】
そして、発光部が消灯状態のときに、センサから取得した照度値が、目標値よりも小さくなったことを検出した場合には、ＰＷＭ信号制御回路を介した電源回路から発光部への電圧供給を再開すればよい。
（７）上記実施の形態に係る自動調光モード及びデモモード（自動）時の動作において、ステップＳ１５において調光率を補正した後に、調光率が上限または下限の状態であれば、ステップＳ１１に戻るとしてもよい。
【符号の説明】
【００７０】
１        照明装置
１０      点灯装置
１１      発光部
１１ａ    ＬＥＤ（光源）
２１      明るさセンサ（センサユニット）
３１      受信部
４１      ブザー
１１０    マイコン
１１１    制御部
１１２    ＰＷＭ信号発生部
１１３    センサ処理部
１１４    計時部
１１５    リモコン処理部
１１６    ブザー処理部
１１７    スイッチ処理部
１１８    メモリ（状態保持部、点灯情報保持部）
２０２    受信ユニット
２０３    釦ユニット
２０３ａ，２０３ｂ，２０３ｃ  釦
Ｒ１，Ｒ２，Ｒ３  抵抗
ＳＷ１，ＳＷ２，ＳＷ３  スイッチ
【図１】
2014082006.tif 000003
【図２】
2014082006.tif 000004
【図３】
2014082006.tif 000005
【図４】
2014082006.tif 000006
【図５】
2014082006.tif 000007
【図６】
2014082006.tif 000008
【図７】
2014082006.tif 000009